(57)【要約】【課題】押ボタンの頭部を一様に照明し易い押ボタンスイッチ構造体及びこれを備えた携帯型電子機器を提供すること。【解決手段】携帯型電子機器１の押ボタンスイッチ構造体２０は、透明な材料からなり軸部の延在方向軸線に沿って進退可能にケースに支持された押ボタン本体２１と、この押ボタン本体２１の軸部２３の延在方向軸線Ａの延長線上において該押ボタン本体２１の先端部に対面する透明材料製のドームスイッチ４０と、透明材料製のドームスイッチ４０を介して押ボタン本体２１の軸部２３を先端２５側から軸線方向Ａ２に照明すべく、押ボタン本体２１の軸部２３の延在方向軸線Ａの延長線上においてドームスイッチ４０の背面側に配置された光源３４とを有する。【選択図】　　図１
2004095252.tif 000002
【特許請求の範囲】
【請求項１】
透明な材料からなり軸部の延在方向軸線に沿って進退可能にケースに支持された押ボタン本体と、
該押ボタン本体の軸部の延在方向軸線の延長線上において該押ボタン本体の先端部に対面する透明材料製のドームスイッチと、
透明材料製のドームスイッチを介して押ボタン本体の軸部を先端側から延在方向に照明すべく、押ボタン本体の軸部の延在方向軸線の延長線上においてドームスイッチの背面側に配置された光源と
を有する押ボタンスイッチ構造体。
【請求項２】
押ボタン本体の軸部がケースの貫通孔に挿通され、貫通孔の内周面と軸部の外周面との間に防水パッキンが配置されている請求項１に記載の押ボタンスイッチ構造体。
【請求項３】
押ボタン本体をドームスイッチから離間させる方向に偏倚させる弾性偏倚手段を有する請求項１又は請求項２に記載の押ボタンスイッチ構造体。
【請求項４】
ドームスイッチのドーム部が押ボタン本体をドームスイッチから離間させる方向に偏倚させる弾性偏倚手段として働くように構成されている請求項１から請求項３までのいずれか一つの項に記載の押ボタンスイッチ構造体。
【請求項５】
十字型の押ボタンスイッチのまわりに複数個配置されている請求項１から請求項４までのいずれか一つの項に記載の押ボタンスイッチ構造体。
【請求項６】
請求項１から請求項５までのいずれか一つの項に記載の押ボタンスイッチ構造体を備えた携帯型電子機器。
【請求項７】
携帯型電子機器が腕装着型である請求項６に記載の携帯型電子機器。
【発明の詳細な説明】
【０００１】
【発明の属する技術分野】
本発明は押ボタンスイッチ構造体及びこれを備えた携帯型電子機器に係る。
【０００２】
【従来の技術】
電卓などの携帯型電子機器において、押ボタンスイッチ構造体の押ボタン本体としての押ボタン形のスイッチやキーなどの天面に形成された文字や絵等の印刷パターンが暗所においても視認可能なように、該押ボタンを背面側から照明することは、例えば、特開平７−５８８１５号公報や特開平７−５８８１５号公報等において提案されている。これらの公報に提案の技術では、複数個の押ボタンの可動部を透明体で形成すると共に該複数の押ボタンを繋ぐ繋ぎ部分をも透明体で形成して繋ぎ部分から押ボタンの透明体に横向きに光を導き得るようにし、更に、繋ぎ部分の背面にＬＥＤ等の光源を配置して、押ボタンの透明体に横向きに伝わった光によって押ボタンを背面側から照明するようにしている。
【０００３】
【発明が解決しようとする課題】
しかしながら、このように多少なりとも横向きで斜めに背面側から照明するこれらの先行技術の場合、押ボタンの一部だけが明るくなってしまって見易さに欠けるのみでなく光源からの光の利用効率が低くなり易いので光源の輝度の割には押ボタンの頭部が全体として暗くなり易い。また、押ボタンの頭部を斜め方向から見る場合、その方向次第では、押ボタンの頭部が殆ど照明されていないように見える場合も生じ得る。
【０００４】
また、これらの先行技術の場合、防水シールを行うためには、複数の押ボタンと夫々の押ボタンに対応する複数のスイッチとの間に全ての押ボタンに亘って拡がった透明なシート材を配置する必要があるだけでなく、光源から各押ボタンの天面に光を当て得るように横向きの導光路を確保するために、透明シートの構造や形状を複雑にせざるを得ない。
【０００５】
本発明は、前記諸点に鑑みなされたものであって、その目的とするところは、押ボタンの頭部を一様に照明し易い押ボタンスイッチ構造体及びこれを備えた携帯型電子機器を提供することにある。
【０００６】
【課題を解決するための手段】
本発明の押ボタンスイッチ構造体は、前記目的を達成すべく、透明な材料からなり軸部の延在方向軸線に沿って進退可能にケースに支持された押ボタン本体と、該押ボタン本体の軸部の延在方向軸線の延長線上において該押ボタン本体の先端部に対面する透明材料製のドームスイッチと、透明材料製のドームスイッチを介して押ボタン本体の軸部を先端側から延在方向に照明すべく、押ボタン本体の軸部の延在方向軸線の延長線上においてドームスイッチの背面側に配置された光源とを有する。
【０００７】
本発明の押ボタンスイッチ構造体では、「押ボタン本体の軸部の延在方向軸線の延長線上において該押ボタン本体の先端部に対面する透明材料製のドームスイッチと、透明材料製のドームスイッチを介して押ボタン本体の軸部を先端側から延在方向に照明すべく、押ボタン本体の軸部の延在方向軸線の延長線上においてドームスイッチの背面側に配置された光源と」が設けられているので、光源から出た光によって押ボタン本体がその軸線方向に沿って透明材料製ドームスイッチを介して照明され得るから、光源から出た光が効率的に押ボタンに伝わり得、押ボタンの頭部が全体として一様に且つ明るく照明され易い。
【０００８】
ここで、「透明材料製のドームスイッチ」とは、ドームスイッチを形成するドーム状の基体材料が透明であることをいい、光源から出た光がドームスイッチを実質的に透過して押ボタン本体の軸部を先端側から照明し得る限り、該基体材料に形成される配線は、不透明でよい。但し、所望ならば、該配線の一部又は全部を透明導電体で形成してもよい。ドームスイッチの基体材料は、典型的には透明な樹脂で形成される。透明樹脂は、光源からの光のうち可視領域の少なくとも一部の波長領域の光を透過し得る限り、着色されていてもよい。
【０００９】
本発明の押ボタンスイッチ構造体では、典型的には、押ボタン本体の軸部がケースの貫通孔に挿通され、貫通孔の内周面と軸部の外周面との間に防水パッキンが配置されている。この場合、従来の照明付押ボタンスイッチとは異なり、防水パッキンによって防水が行われ得るので、押ボタンスイッチの個々の押ボタン本体毎に個別に防水構造が組込まれ得る。ここで、防水パッキンは、押ボタン本体の軸部の外周に装着されていても、ケースの貫通孔の周面に装着されていてもよい。防水パッキンは、典型的には、Ｏリングからなる。但し、防水すなわち水密なシールを行い得る限り、パッキンの断面形状は、円形の代わりに他の任意の形状でよい。また、この押ボタンスイッチ構造体では、光源からの光が、押ボタン本体の軸部の延在方向に沿って押ボタンの頭部に伝わるので、押ボタンの本体の軸部の外周面にある防水パッキンが光源から押ボタンの頭部に伝わる光を遮る虞れがない。更に、仮に、押ボタン本体の軸部に横向きに迷光が入ろうとしても、防水パッキンが迷光の侵入を抑制し得るので、光源による照明がぼかされる虞れも少ない。
【００１０】
本発明の押ボタンスイッチ構造体においては、押ボタン本体は、典型的には、ドームスイッチから離間する方向に偏倚されるべく構成される。このためには、押ボタンスイッチ構造体が押ボタン本体をドームスイッチから離間させる方向に偏倚させる弾性偏倚手段を有していても、又はドームスイッチのドーム部が押ボタン本体をドームスイッチから離間させる方向に偏倚させる弾性偏倚手段として働くように構成されていてもよい。いずれの場合でも、押ボタン本体の押圧に際して所望の押圧感ないし作動感が得られる。前者の場合、弾性偏倚手段は、典型的には、圧縮コイルばねのようなばねからなるけれども、その代わりに、ゴムなどの弾性体であってもよい。後者の場合、別の弾性偏倚手段を用いないので、押ボタンスイッチ構造体の全体の小型化が図られ易い。
【００１１】
本発明の押ボタンスイッチ構造体は、例えば、十字型の押ボタンスイッチのまわりに複数個配置されている押ボタンスイッチ構造体のうちの少なくとも一つからなる。十字型の押ボタンスイッチは、いわゆるマルチコントローラと呼ばれるもので、上下及び左右の四箇所の押圧によってスイッチ動作が行われ得るだけでなく、十字の中央の交差部の押圧によってもスイッチ動作が行われ得るもので、その外形（平面形状）は、大きな円形であってもよい。ここで、マルチコントローラのまわりに複数個に配置されるセレクトボタンの形態の押ボタンスイッチ構造体は、典型的には、全て、本発明の押ボタンスイッチ構造体からなる。その場合、隣接する押ボタンスイッチ構造体の間にマルチコントローラとして働く十字型の押ボタンスイッチのアーム部が位置するので、押ボタンスイッチ構造体の間隔が大きくなり易いけれども、本発明の押ボタンスイッチ構造体では、押ボタンが個別に照明されるように構成されるので、十字型の押ボタンスイッチが間に介在することによる不利益は受け難い。
【００１２】
本発明の携帯型電子機器は、上述のような押ボタンスイッチ構造体を備え得る。ここで、携帯型電子機器は、例えば、腕装着型であり、腕装着型の携帯電話や腕装着型で電子時計付の携帯情報端末などからなる。また、携帯型電子機器は、腕時計の携帯の電子時計自体でもよい。但し、押ボタンスイッチ構造体が、他の携帯型電子機器に取り付けられても、携帯型電子機器以外で暗所で使用するニーズがあり得る他の電子機器に取り付けられてもよい。
【００１３】
【発明の実施の形態】
本発明の好ましい一実施の形態を添付図面に示した好ましい一実施例に基づいて説明する。
【００１４】
【実施例】
図３には、本発明による好ましい一実施例の押ボタンスイッチ構造体を備えた携帯型電子機器としての腕装着型携帯電話１の一部が示されている。この携帯電話１は、例えば、液晶パネルの如き表示部２を備えた本体部３と、本体部３の周方向Ｅの両端４，５において軸線Ｆ及びＧのまわりでＦ１，Ｆ２及びＧ１，Ｇ２方向に回動可能に該本体部３に取付けられた剛性アーム部６，７とを有する。剛性アーム部６，７は、腕の外周にほぼ沿い得るような曲率で湾曲しており、剛性アーム部６，７が剛性本体部３に対してＦ１，Ｇ１方向に回動された閉位置にある際、本体部３が剛性アーム部６，７によって腕の周りに装着され、剛性アーム部６，７が剛性本体部３に対してＦ２，Ｇ２方向に回動された開位置にある際、本体部３を含む腕装着型携帯電話１が腕から取外し可能になる。
【００１５】
剛性アーム部６には、例えば、図３に示したように、マルチコントローラの形態の十字型の押ボタンスイッチ１０と、独立な四つのセレクトボタンの形態の押ボタンスイッチ２０とが設けられている。押ボタンスイッチ１０は、上下左右の四つの押ボタンスイッチ部１１，１２，１３，１４に加えて中央の押ボタンスイッチ部１５を含む。一方、四つの押ボタンスイッチ２０は、夫々に異なる機能が付与される（例えば、指示ボタン２０ａ，２０ｂ，２０ｃ，２０ｄの夫々では、電話をかける旨の指示、メールを見る旨の指示、電話番号リストを見る旨の指示、及び電話を切る旨の指示等をする、勿論、個々の押ボタンスイッチには任意の所望の機能を付与し得る）点を除いて同様に構成されている。従って、相互に区別するときには夫々の末尾に添字「ａ」，「ｂ」，「ｃ」又は「ｄ」を付す点を除いて同一の符号で示す。
【００１６】
より詳しくは、剛性アーム部６は、図４の分解斜視図に示したように、上側ないし表側のケース３１及び下側ないし裏側ケース又は裏蓋３２からなるアーム部本体３０並びに十字型ボタン本体部３８及び押ボタンスイッチ２０（即ち２０ａ，２０ｂ，２０ｃ，２０ｄ）の本体部２１（即ち２１ａ，２１ｂ，２１ｃ，２１ｄ）に加えて、裏蓋３２の凹部３３に配設され該押ボタンスイッチ本体部２１（即ち２１ａ，２１ｂ，２１ｃ，２１ｄ）に対応する位置にＬＥＤ３４（即ち３４ａ，３４ｂ，３４ｃ，３４ｄ）が実装されたフレキシブル配線基板の形態のＬＥＤ基板３５と、凹部３３に丁度嵌合される外形を有し押ボタンスイッチ本体部２１（即ち２１ａ，２１ｂ，２１ｃ，２１ｄ）に対応する位置において裏面側に凹部３６（即ち３６ａ，３６ｂ，３６ｃ，３６ｄ）を備えた導光座形成板３７と、押ボタンスイッチ本体部２１（即ち２１ａ，２１ｂ，２１ｃ，２１ｄ）に対応する位置に透明材料製のドームスイッチ４０（（即ち４０ａ，４０ｂ，４０ｃ，４０ｄ）が形成されたフレキシブル配線基板の形態のスイッチ基板４２とを有する。図４において、８２は導光座３７を介してＬＥＤ基板３５に給電するための接点ブロック、８３はマイクロフォン、８４はマイクロフォン装着孔である。
【００１７】
なお、図４に示した例では、十字型の押ボタンスイッチ１０についても、夫々の押ボタンスイッチ部１１〜１５のために、ドームスイッチ４０と同様なドームスイッチ３９がスイッチ基板４２に形成されている。
【００１８】
押ボタンスイッチ２０は、より詳しくは、例えば、図１及び図２に示したような構造を有する。即ち、押ボタンスイッチ２０は、透明材料（典型的には透明樹脂）からなる押ボタン本体部２１と、ケース部３１のうち押ボタン本体部２１がその延在方向軸線としての中心軸線Ａの延在方向に沿ってＡ１，Ａ２方向に進退するように摺動可能に嵌挿されるボタン孔６１及びその周壁部分６２とを含む。透明材料（典型的には透明な樹脂）からなる押ボタン本体部２１は、その長手方向軸線Ａに沿って延びたボタン軸ないし軸部２２と、該軸部２２の手前側の端部において鍔状に拡がった大径ないしフランジ状の頭部２３と、該軸部２２の奥側の端部において直径方向に沿って延びた比較的深い十字状の割溝２４と、該割溝２４と協働して先端側大径部２５のＡ１方向の挿入を可能にする先端テーパ部２６と、Ａ２方向の抜けを禁止する係止面を与える係止部２７とを有する。
【００１９】
なお、押ボタン本体２１は、典型的にはその全体が透明であるけれども、中心軸線Ａを含む中心領域が透明である限り、場合によっては、他の部分の一部又は全体が不透明であってもよい。ここで、透明とは、可視領域の光のうち少なくとも一部の波長域の光に対して透過性があることをいう。押ボタン本体部２１の頭部２３の頂面すなわち天面１９には、文字又は絵の形態の印刷が付されている。印刷が文字の場合、文字が遮光性塗料で印刷されていても、文字のまわりが遮光性塗料で印刷され、文字の部分が透明であってもよい。
【００２０】
周壁部分６２は、押ボタン本体部２１のフランジ状頭部２３が嵌り込み得る径ないし大きさの凹部６３を外側（図１では上側）に備える。凹部６３の底面６４とフランジ状頭部２３の底面との間には、押ボタン本体部２１をＡ２方向に押し上げる弾性偏倚手段としての圧縮コイルばねの形態の戻しばね６５が設けられている。頭部２３の底面にはコイルばね６５のリテーナとして働く環状凹部が形成されていてもよい。弾性偏倚手段はコイルばねの代わりに板ばねなど他の種類のばねでも環状のゴムなど弾性材料体でもよい。なお、凹部６３の底面６４の内周縁には、円錐台状の案内用テーパ面６６が形成されている。また、軸部２２の外周に形成された周方向溝部２８には、防水パッキン６７が嵌着されている。防水パッキン６７は、例えば、Ｏリングの形態のパッキンからなる。
【００２１】
従って、押ボタンスイッチ２０の押ボタン本体部２１は、圧縮コイルばね６５によってフランジ状頭部２３でＡ２方向に弾性的に偏倚され、通常は、先端側大径部２５の係止部２７がケース３１の下面に当接してＡ２方向の抜けが禁止される。なお、先端大径部２５を形成する代わりに、押ボタン本体部２１の先端部にＥリング等を装着して、大径の係止部を形成するようにしてもよい。押ボタン本体部２１の軸部２２とケース３１の孔６１の周壁部６２との間は、防水パッキン６７によって水密にシールされて防水される。なお、図示の例では、防水パッキン６７が軸部２２の外周に一箇所だけ設けられているけれども、パッキン６７が複数箇所に設けられてもよく、また、軸部２２に設けられる代わりにボタン孔６１の周面に設けられてもよい。
【００２２】
一方、ばね６５の弾性力に抗して押ボタン本体部２１の頭部２３をＡ１方向に押圧すると、押ボタン本体部２１がＡ１方向に押し下げられる。このとき、押ボタン本体部２１のＡ１方向移動に伴って、先端部２５がＡ１方向に下がると共にフランジ状頭部２３がケース３１の周壁部６２の凹部６３に嵌り込む。
【００２３】
なお、図示のような押ボタン本体部２１を組み付けるためには、押ボタン本体部２１の軸部２２にコイルばね６５を遊嵌させておいて、ボタン孔６１の周壁６２の凹部６３の底面６４のテーパ面６６に先端大径部２５を当てた状態で押ボタン本体部２１をＡ１方向に強く押し込む。これにより、十字型の割溝２４が先端側ほど大きく押しつぶされるように先端大径部２５が変形されて軸部２２が孔６１内にＡ１方向に押込まれる。このＡ１方向の押込みは、先端大径部２５の全体が孔６１の下端開口から突出するまで続けられ、先端大径部２５が孔６１から突出した後Ａ１方向の押込みを止めると図１に示した係止状態になる。
【００２４】
スイッチ基板ないしスイッチ回路配線基板すなわちスイッチ回路パターン基板４２は、図１からわかるとおり、例えば、二枚の透明な樹脂製の基体ないし基板４３及び４４を含む。基板４３は、ドームスイッチ４０を形成すべき領域において、ドーム状の湾曲部４５を備える。下側の基板４４の表面４６には、例えば、図１及び図２に示したように少なくとも二つの配線パターン４７，４８が形成され、一方、ドーム状湾曲部４５の内面４９には、例えば、三本の実質的に平行な導電パターン５０，５１，５２が形成されている。配線パターン４７，４８は、ドーム状湾曲部４５によって囲われたドーム状の室５３内に、相互に平行に延在した導電パターン領域５４，５５を備え、ドーム状湾曲部４５の内面４９の三本の導電パターン５０，５１，５２は、導電パターン領域５４，５５の両方を横切って延びるに十分な長さを有する。
【００２５】
ドーム状の湾曲部４５は、その樹脂材料の剛性ないし弾性の故に、外力がかかっていない状態では、図１に示したようなドーム形状を維持し、仮に、ドーム形状が外力によって潰されても、外力が実質的に解除されると、図１に示したようなドーム形状に復帰する。従って、外力がかかっていない状態では、ドームスイッチ４０の室５３は図１に示したようなドーム形状を有し、基板４３のドーム状湾曲部４５の内面４９の導電パターン５０，５１，５２は、基板４４の導電性配線パターン４７，４８の対向した導電領域５４，５５から離れたままである。その結果、基板４４の配線パターン４７と配線パターン４８との間は、分離・絶縁状態に保たれる。
【００２６】
一方、押ボタン本体２１にＡ１方向の力がかかって押ボタン本体２１がばね６５のＡ２方向の弾性力に抗してＡ１方向に押し下げられると、押ボタン本体２１の先端部２５の端面２９が基板４３のドーム状湾曲部４５の表面５６にあたってドーム状湾曲部４５をＡ１方向に押下げる。ドーム状湾曲部４５が図１において想像線４５で示した状態を採るように潰れるまで押ボタン本体２１のＡ１方向の押し下げが継続されると、押ボタン本体２１のＡ１方向の押下げにより、ドーム状湾曲部４５の内面４９の配線パターン５０，５１，５２のうちの少なくとも一つ、典型的には、三つとも全てが、基板４４の表面４６に押付けられ、配線パターン４７，４８の導電パターン領域５４，５５に圧接されて、導電パターン５４と導電パターン５５との間を電気的に短絡させる。なお、ドーム状湾曲部４５が皺になったりすることなく圧潰され且つ配線パターン５０，５１，５２の断線が生じる虞れが実際上ない場合には、三本の配線パターン５０，５１，５２のうちの一本の配線パターンだけがあればよい。
【００２７】
一方、押ボタン本体２１のＡ１方向の押圧力を解除すると、コイルばね６５の弾性力によって、押ボタン本体２１がＡ２方向に戻され、ドーム状湾曲部４５の図１に示した状態に復帰する。
【００２８】
なお、ドーム状湾曲部４５は、その形状からして弾力性を維持しやすいので、コイルばね６５のような弾性部材を別途設けることなく、ドーム状湾曲部４５の弾性を利用して、押ボタン本体２１をＡ２方向に復帰させるようにしてもよい。その場合、図５に示したように、通常の非押圧状態において、典型的には、押ボタン本体２１の先端部２５の端面２９がドーム状湾曲部４５の表面５６に丁度当接し且つドーム状湾曲部４５がその弾性によって初期位置に復帰したドーム状形状を採る。この図５に示した押ボタンスイッチ構造体２０Ａは、コイルばね６５の代わりにドーム状湾曲部４５の弾性がばねとして働く点を除いて、図１に示した押ボタンスイッチ構造体２０と実際上同様に動作し得ることは、明らかであろう。なお、この例の場合、ドームスイッチ４０の初期位置ないし復帰位置において、ドーム状湾曲部４５にＡ１方向の押圧力が常時かかるのを避けるように、係止部２７がケース３１の下面から離れた位置を採る。但し、所望ならば、係止部２７がケースの下面３１に当接した状態で先端面２９がドーム状湾曲部４５の表面５６に接触していてもよい。
【００２９】
図１及び図２の例に戻って、Ａ１方向に見た場合、図２に示したように、三本の配線パターン５０，５１，５２のうちの両側の二本の配線パターン５０，５２及び配線パターン４７，４８の導電パターン領域５４，５５は、ＬＥＤ３４を取囲む位置に形成され、更に、三本の配線パターン５０，５１，５２のうちの隣接する二本の配線パターン５０，５１は、ＬＥＤ３４の発光領域７１の両側に配置される。
【００３０】
この場合、導電パターン５０，５１，５２及び５４，５５が不透明な金属性のパターン配線であっても、バックライトとしてのＬＥＤ３４の発光領域７１からの光Ｂは、導電パターン５０，５１，５４，５５によって形成された窓領域５７を介して、透明樹脂製の基板４３，４４をＡ２方向に真下から真上に透過し得る。ドーム状湾曲部４５に形成する導電パターンの本数が異なる場合でも、ＬＥＤ３４のような光源の発光部７１と押ボタン本体２１の下端部とを結ぶ線からずれた位置に、基板４３及び４４の導電パターンを形成すればよい。勿論、ドームスイッチ４０の開閉動作に耐え得る限り、所望ならば、導電パターンの一部（例えば基板４４側のパターン）又は全体をＩＴＯの如き透明な導電膜で形成してもよい。
【００３１】
以上の如く構成された押ボタンスイッチ構造体としての押ボタンスイッチ２０を備えた携帯型電子機器としての腕装着型携帯電話１では、押ボタンスイッチ２０の押ボタン本体２１が軸部２２においてＡ１，Ａ２方向に摺動可能に腕装着型携帯電話１の上側ケース３１に嵌合されているので、押ボタンスイッチ２０の本体２１の頭部２３をＡ１方向に押圧するだけで、本体２１をＡ１方向に押下げ得、該本体２１の軸部２２の先端部２５の端面２９で中心軸線Ａに沿って前方（図１では下方）に位置するドームスイッチ４０のドーム状彎曲部４５をＡ１方向に押し下げて、接点５０，５１，５２をドームスイッチ４０の下側基板４３の接点５４，５５に圧接せしめ、接点５４，５５間を導通状態に設定し得、接点５４，５５を介して、所望の指示信号の伝達を可能にし得る。なお、導光座３７は、スイッチ回路パターン４２を背面からＡ２方向に支えて、押ボタンスイッチ本体２１によるドームスイッチ４０のＡ１方向の押圧を可能にする。
【００３２】
また、この腕装着型携帯電話１では、押ボタンスイッチ２０の本体２１の鍔状頭部２３と上側ケース３１の凹部６３との間に圧縮コイルばね６５が配置されているから、頭部２３の押圧を解除するだけで、係止部２６がケース３１の下面（内面ないし裏面）に当接する初期位置まで本体２１をＡ２方向に復帰させ得る。
【００３３】
更に、この腕装着型携帯電話１では、押ボタンスイッチ２０の押ボタン本体２１が軸部２２の外周に装着された防水パッキン６７を介して水密に上側ケース３１に孔６１に嵌合されているので、スイッチ本体２１がＡ１，Ａ２方向に可動にケース３１に嵌合されているにもかかわらず、ケース３１，３２によって囲われた腕装着型携帯電話１の剛性アーム部６の内部に水などが侵入する虞れが少ない。
【００３４】
加えて、この腕装着型携帯電話１では、スイッチ本体２１が透明材料からなり中心軸線Ａに沿って延在し、中心軸線Ａ上でスイッチ本体２１の奥端（図１では下端）側に配置されたドームスイッチ４０の上下の基板４４，４３が透明材料で形成され、且つ光源としてのＬＥＤ３４が中心軸線Ａに沿ってドームスイッチの背面側に配置されているので、ＬＥＤ３４から出た光がドームスイッチ４０の透明基板４３，４４をＡ２方向に透過して、スイッチ本体２１の下端からＡ２方向にスイッチ本体２１内に入り、更に、該スイッチ本体２１をＡ２方向に透過してスイッチ本体２１の頭部２３からＡ２方向に射出され得る。その結果、ＬＥＤ３４から出た光が、実質的に直進するだけで押ボタンスイッチ２０の本体２１の頭部２３に達し得ることになり、ＬＥＤ３４の光が効率的に押ボタンスイッチ２０の本体２１の頭部２３を背面側から照明し得る。ここで、防水パッキン６７は、スイッチ本体２１の軸部２２の外周に沿って配置されているので、防水パッキン６７の軸線Ａに沿う方向の長さないし太さ又は幅が大きくても、ＬＥＤ３４からスイッチ本体２１の頭部２３に至る光の導光路が妨げられる虞れがなく、防水性能の向上が押ボタンスイッチ２０の頭部２３の背面側からの照明を低下させる虞れがない。むしろ、また、ケース３１に導光性が要求されないので、ケース３１を不透明材料で形成し得るから、材料の選択性が向上する。
【００３５】
なお、導光座３７は、全体が透明材料で形成される代わりに、ＬＥＤ３４が収容される凹部３６の底部８１のみ又は該底部８１を含む一部の領域のみが透明であってもよい。ここで、底部８１は、押ボタン本体部２１の先端部２５の端面２９によるＡ１方向の荷重を（例えば周縁部で）支え得る限り、中心軸線Ａのまわりにおいて押ボタン本体部２１の先端部２５の端面２９よりも狭い（小さい）半径領域が凹部又は孔になっていてもよい。
【００３６】
また、ドームスイッチ４０を透過した光のうち相当の部分が割溝２４から軸部２２内に入る場合には、割溝２４の底面や側面に光の入射を容易にするような反射防止膜を形成したり、光を軸線方向に導くようなレンズ構造を底面などに形成しておいてもよい。
【００３７】
更に、この腕装着型携帯電話１では、ドームスイッチ４０の導電パターンないし接点５０，５，５２及び導電パターンないし接点５４，５５が、中心軸線Ａ方向に沿って見た際にＬＥＤ３４の発光部７１に実質的に重ならないように、換言すれば、発光部７１から出てＡ２方向に進行する光の光路から実質的に外れた位置に配置されているので、導電パターンないし接点５０，５，５２及び５４，５５が不透明な導電材料からなる場合でも、ＬＥＤ３４からの発光により、押ボタンスイッチ本体２１の頭部２３の天面１９が効率的に背面側から、より詳しくは、真下から、照明され得る。従って、ＬＥＤ３４の輝度が比較的小さくても、押ボタンスイッチ本体２１の頭部２３の天面１９が比較的高照度で照光され得る。
【００３８】
なお、以上においては、スイッチ本体２１が中心軸線Ａのまわりで回転対称な形状を有するとして説明したけれども、軸線Ａに沿う光路に沿って、スイッチ本体Ａが配置され得る限り、スイッチ本体２１の軸線Ａに垂直な断面形状は、円形の代わりに楕円形や卵形などの長円形でも、長法形や正方形の如き矩形でも、他の多角形状でも、より不規則なないし複雑な形状でもよい。ドームスイッチ４０の軸線Ａに垂直な断面形状も円形の代わりに長円形など他の形状でもよい。
【図面の簡単な説明】
【図１】本発明による好ましい一実施例の携帯型電子機器としての腕装着型携帯電話のうち、押ボタンスイッチ構造体としての押ボタンスイッチの部分の断面（図３のＩ−Ｉ線断面）説明図。
【図２】図１の押ボタンスイッチのＩＩ−ＩＩ線断面説明図。
【図３】図１の押ボタンスイッチを備えた携帯型電子機器としての腕装着型携帯電話の平面説明図。
【図４】図３の腕装着型携帯電話のうち一方の剛性アーム部の分解斜視説明図。
【図５】変形例の押ボタンスイッチ構造体についての図１と同様な断面説明図。
【符号の説明】
１　腕装着型携帯電話（携帯型電子機器）
２　表示部
３　本体部
６，７　剛性アーム部
１０　十字型押ボタンスイッチ
２０，２０ａ，２０ｂ，２０ｃ，２０ｄ，２０Ａ　押ボタンスイッチ（押ボタンスイッチ構造体）
２１　押ボタンスイッチ本体
２２　軸部
２３　フランジ状頭部
２８　周溝
３１　上側ケース
３４　ＬＥＤ（光源）
３７　導光座
４０　ドームスイッチ
４３，４４　基板
４５　ドーム状湾曲部
５０，５１，５２，５４，５５　導電パターン（接点）
５３　室
６３　凹部
６４　底面
６５　圧縮コイルばね
６７　防水パッキン
７１　発光部（発光領域）
Ａ　中心軸線
Ａ１，Ａ２　方向
【図１】
2004095252.tif 000003
【図２】
2004095252.tif 000004
【図３】
2004095252.tif 000005
【図４】
2004095252.tif 000006
【図５】
2004095252.tif 000007